(57)【要約】【課題】本開示の目的は、包装袋を開封する際に包装袋から開封片が切り離されない包装袋を提供することである。【解決手段】本開示の包装袋は、引裂き起点部分及び引裂き停止位置を備える。引裂き停止位置は、切り込みを有する。切り込みは、引裂き起点部分と引裂き停止位置とを結ぶ仮想引裂き直線によって分けられる包装袋の２つの部分の一方側及び他方側に向けてそれぞれ凸形状を有する。両方の凸形状の頂点は、円弧形状を有する。両方の凸形状の端部の一方同士は、引裂き停止位置において接続されている。切り込みは、引裂き起点部分から仮想引裂き直線に沿った方向に最も離れた最遠部分を有する。最遠部分の接線の傾きは、仮想引裂き直線に垂直である。【選択図】図１
2018043765.tif 000002
【特許請求の範囲】
【請求項１】
引裂きにより開封される包装袋であって、
前記引裂きを開始する起点となる、引裂き起点部分、及び
前記引裂きを停止させるべき位置として定めた引裂き停止位置、
を備え、
前記引裂き停止位置は、切り込みを有し、
前記切り込みは、前記引裂き起点部分と前記引裂き停止位置とを結ぶ仮想引裂き直線によって分けられる前記包装袋の２つの部分の一方側及び他方側に向けてそれぞれ凸形状を有し、
両方の前記凸形状の頂点は円弧形状を有し、
両方の前記凸形状の端部の一方同士は、前記引裂き停止位置において接続されており、かつ
両方の前記凸形状の端部の他方同士は接続されておらず、
前記切り込みは、前記仮想引裂き直線に沿った方向に前記引裂き起点部分から最も離れた最遠部分を有し、かつ
前記最遠部分の接線の傾きが、前記仮想引裂き直線に垂直である、
包装袋。
【請求項２】
前記凸形状の少なくとも一方が、前記引裂き停止位置を基準として前記引裂き起点部分の反対側にある、請求項１に記載の包装袋。
【請求項３】
両方の前記凸形状が、前記引裂き停止位置を基準として前記引裂き起点部分の反対側にある、請求項２に記載の包装袋。
【請求項４】
前記切り込みが、前記仮想引裂き直線に関して対称である、請求項１〜３のいずれか一項に記載の包装袋。
【請求項５】
一方の前記凸形状が、前記引裂き停止位置を基準として前記引裂き起点部分の反対側にあり、かつ他方の前記凸形状が、前記引裂き停止位置を基準として前記引裂き起点部分側にある、請求項２に記載の包装袋。
【請求項６】
前記凸形状のそれぞれの端部の一方同士が互いに接続されている部分が、前記仮想引裂き直線に垂直な直線である、請求項１〜５のいずれか一項に記載の包装袋。
【請求項７】
前記切り込みのうち、前記凸形状の前記最遠部分から前記引裂き停止位置と反対側に延長した方向にある終端部が、前記仮想引裂き直線に沿った方向において前記最遠部分と前記引裂き停止位置との間に位置する、請求項１〜６のいずれか一項に記載の包装袋。
【請求項８】
前記凸形状の頂点が、半径１．０ｍｍ以上の略半円を有する形状である、請求項１〜７のいずれか一項に記載の包装袋。
【請求項９】
内容物が内部に封入されており、前記引裂きにより開封することにより、内容物を取り出すことができる、請求項１〜８のいずれか一項に記載の包装袋。
【発明の詳細な説明】
【技術分野】
【０００１】
本発明は、包装袋に関する。
【背景技術】
【０００２】
従来から、食品、化粧品、及び飲料品等を包装するための包装袋が知られている。
【０００３】
包装袋は、例えば２枚の積層フィルムを重ね、そして縁部を熱溶着等によって接着することによって、袋状に形成される。このような包装袋は、縁部のうち接着されていない部分、即ち開口部から、内容物が充填される。その後、包装袋の開口部は熱溶着等によって接着される。このようにして、内容物入りの包装袋が製造される。
【０００４】
通常、包装袋から内容物が取り出される際には、包装袋はその縁部の一部から引裂かれることによって開封される。包装袋の縁部の一部から包装袋が引裂かれた際に、包装袋本体から切り離された開封片が生じうる。
【０００５】
包装袋本体から切り離された開封片は、包装袋の実用上、様々な不利益をもたらす。例えば、原料等が入っている包装袋を製造現場等で開封したときに開封片が発生すると、開封片が製品に混入する可能性がある。また、日常生活において、食品等が入っている包装袋を開封したときに開封片が発生すると、ゴミの処分が煩雑になり、また、ポイ捨ての原因にもなりうる。
【０００６】
したがって、包装袋本体から開封片が切り離されることを防止する技術が求められてきた。
【０００７】
特許文献１〜６は、引裂き開始部分と、引裂き停止位置を有する包装袋を開示している。
【０００８】
これらの文献において、引裂き停止位置は、様々な形状の切り込みを有する。これらの文献において挙げられている切り込みの形状としては、引裂き開始部分に向かって凸形状のもの（特許文献１）若しくは凹形状のもの（特許文献２、３、及び５）、引裂き方向に交差する線形状のもの（特許文献４）がある。さらに、切り込みの形状として、引裂き方向に交差する直線状の切り込みを有し、かつ直線の両端に円形の穴状の切り込みを有するもの（特許文献６）もある。
【先行技術文献】
【特許文献】
【０００９】
【特許文献１】特開２０１４−１０１１４１号公報
【特許文献２】特開２０１３−２２４１６７号公報
【特許文献３】特開２００９−２５５９５９号公報
【特許文献４】特開２００７−２７６８２３号公報
【特許文献５】特開２０００−２８１０９０号公報
【特許文献６】特開２０００−２９６８５９号公報
【発明の概要】
【発明が解決しようとする課題】
【００１０】
上記のとおり、包装袋本体から開封片が切り離されることを防止する技術として、引裂き停止位置に様々な形状の切り込みを設けることが知られている。
【００１１】
しかしながら、包装袋を引裂く際にかかる力の向き、力加減等によっては、従来の形状の切り込みでは十分に引裂きを停止することができない場合がある。
【００１２】
したがって、開封する際に、より確実に引裂き停止位置で引裂きを停止することができる包装袋が求められている。
【００１３】
本開示の目的は、包装袋を開封する際に包装袋から開封片が切り離されない包装袋を提供することである。
【課題を解決するための手段】
【００１４】
〈態様１〉
引裂きにより開封される包装袋であって、
前記引裂きを開始する起点となる、引裂き起点部分、及び
前記引裂きを停止させるべき位置として定めた引裂き停止位置、
を備え、
前記引裂き停止位置は、切り込みを有し、
前記切り込みは、前記引裂き起点部分と前記引裂き停止位置とを結ぶ仮想引裂き直線によって分けられる前記包装袋の２つの部分の一方側及び他方側に向けてそれぞれ凸形状を有し、
両方の前記凸形状の頂点は円弧形状を有し、
両方の前記凸形状の端部の一方同士は、前記引裂き停止位置において接続されており、かつ
両方の前記凸形状の端部の他方同士は接続されておらず、
前記切り込みは、前記仮想引裂き直線に沿った方向に前記引裂き起点部分から最も離れた最遠部分を有し、かつ
前記最遠部分の接線の傾きが、前記仮想引裂き直線に垂直である、
包装袋。
〈態様２〉
前記凸形状の少なくとも一方が、前記引裂き停止位置を基準として前記引裂き起点部分の反対側にある、態様１に記載の包装袋。
〈態様３〉
両方の前記凸形状が、前記引裂き停止位置を基準として前記引裂き起点部分の反対側にある、態様２に記載の包装袋。
〈態様４〉
前記切り込みが、前記仮想引裂き直線に関して対称である、態様１〜３のいずれか一項に記載の包装袋。
〈態様５〉
一方の前記凸形状が、前記引裂き停止位置を基準として前記引裂き起点部分の反対側にあり、かつ他方の前記凸形状が、前記引裂き停止位置を基準として前記引裂き起点部分側にある、態様２に記載の包装袋。
〈態様６〉
前記凸形状のそれぞれの端部の一方同士が互いに接続されている部分が、前記仮想引裂き直線に垂直な直線である、態様１〜５のいずれか一項に記載の包装袋。
〈態様７〉
前記切り込みのうち、前記凸形状の前記最遠部分から前記引裂き停止位置と反対側に延長した方向にある終端部が、前記仮想引裂き直線に沿った方向において前記最遠部分と前記引裂き停止位置との間に位置する、態様１〜６のいずれか一項に記載の包装袋。
〈態様８〉
前記凸形状の頂点が、半径１．０ｍｍ以上の略半円を有する形状である、態様１〜７のいずれか一項に記載の包装袋。
〈態様９〉
内容物が内部に封入されており、前記引裂きにより開封することにより、内容物を取り出すことができる、態様１〜８のいずれか一項に記載の包装袋。
【発明の効果】
【００１５】
本開示によれば、包装袋を開封する際に包装袋から開封片が切り離されない包装袋を提供することができる。
【図面の簡単な説明】
【００１６】
【図１】図１は、本開示のある実施形態に基づく包装袋の概略図である。
【図２】図２は、本開示のある実施形態に基づく包装袋の切り込みの概略図である。
【図３】図３は、本開示の他の実施形態に基づく包装袋の切り込みの概略図である。
【図４】図４は、本開示のさらに他の実施形態に基づく包装袋の切り込みの概略図である。
【図５】図５は、本開示のまたさらに他の実施形態に基づく包装袋の切り込みの一部の概略図である。
【図６】図６は、各実施例の包装袋の切り込みの概略図である。図６（ａ）は、実施例１の包装袋の切り込みの概略図である。図６（ｂ）は、実施例２の包装袋の切り込みの概略図である。図６（ｃ）は、実施例３の包装袋の切り込みの概略図である。
【図７】図７は、各比較例の包装袋の切り込みの概略図である。図７（ａ）は、比較例１の包装袋の切り込みの概略図である。図７（ｂ）は、比較例２の包装袋の切り込みの概略図である。
【発明を実施するための形態】
【００１７】
以下、本開示の実施の形態について詳述する。なお、本発明は、以下の実施の形態に限定されるのではなく、発明の本旨の範囲内で種々変形して実施できる。
【００１８】
本開示の包装袋は、引裂きにより開封される包装袋である。包装袋は、引裂きを開始する起点となる、引裂き起点部分、及び引裂きを停止させるべき位置としてとして定めた引裂き停止位置を備える。
【００１９】
引裂き停止位置は、切り込みを有する。切り込みは、引裂き起点部分と引裂き停止位置とを結ぶ仮想引裂き直線によって分けられる包装袋の２つの部分の一方側及び他方側に向けてそれぞれ凸形状を有する。両方の凸形状の頂点は、円弧形状を有する。両方の凸形状の端部の、一方同士は引裂き停止位置において接続されており、他方同士は接続されていない。また切り込みは、仮想引裂き直線に沿った方向に引裂き起点部分から最も離れた最遠部分を有する。最遠部分の接線の傾きは、仮想引裂き直線に垂直である。
【００２０】
図１は、本発明のある実施形態に基づく包装袋の模式図である。図１において、包装袋１０は、縁部２０が接着されている。また、包装袋１０は、収容部分３０、引裂き起点部分４０、引裂き停止位置５０を有する。収容部分３０は、内容物を収容する部分である。収容部分３０内の内容物は、引裂き起点部分４０から包装袋１０を引裂いて開封することにより、取り出すことができる。また、引裂き停止位置５０には、切り込み１００が存在する。
【００２１】
原理によって限定されるものではないが、本発明の作用原理は以下のとおりであると考える。
【００２２】
包装袋を引裂いた際に開封片が包装袋本体から分離されることを防止するために、包装袋の引裂き停止位置に切り込みを入れる方法がある。
【００２３】
しかしながら、この様な切り込みを入れた場合であっても、開封片が包装袋本体から分離されることを完全に防止することはできない。すなわち、引裂きの力の方向、強さ等によっては、引裂きにより開封片が包装袋本体から分離されてしまうという問題があった。
【００２４】
特に、切り込みが引裂き起点部分側に向かって凸形状を有する場合、切り込みの終端部から引裂きが再開してしまうことがある。これは、切り込みの終端部の向きが引裂き方向に沿っているためと考えられる。切り込みの終端部は、切り込みの他の部分と比較して、引裂きに弱いと考えられる。
【００２５】
また、切り込みを入れる以外の引裂きを防止する手段として、パンチ等によって引裂き停止位置に穴を設けることが考えられる。しかしながら、パンチ等によって包装袋に穴を設けた場合、パンチ穴片が生じ、製造時に余分なゴミが生じるという問題もある。
【００２６】
本開示の包装袋は、一定の形状の切り込みを引裂き停止位置に有することにより、包装袋を開封する際に包装袋から開封片が切り離されにくくなる。さらに、本発明の包装袋は、開封時に開封片を生じさせないだけでなく、製造時においてもパンチで穴をあけてパンチ穴片を生じさせないため、余分なゴミの排出を防止できる点でも優れている。
【００２７】
《引裂き起点部分》
引裂き起点部分は、引裂きを開始する起点となる部分である。引裂き起点部分は、引裂きによって包装袋の開封を開始するための部分であって、包装袋の引裂きを容易にするための加工、例えば切り欠き又は切り込み等が施されていてよい。
【００２８】
本開示の包装袋は、引裂き停止位置を基準として引裂き起点部分の反対側に別の引裂き起点部分を有しないことが好ましい。
【００２９】
《引裂き停止位置》
引裂き停止位置は、引裂きを停止させるべき位置としてとして定められた位置である。引裂き停止位置は、切り込みを有する。
【００３０】
引裂き停止位置は、引裂きを停止させることを予定する位置である。なお、引裂き停止位置は、実際の引裂きが停止する位置と必ずしも一致するものではない。
【００３１】
《切り込み》
切り込みは、引裂き起点部分と引裂き停止位置とを結ぶ仮想引裂き直線によって分けられる包装袋の２つの部分の一方側及び他方側に向けてそれぞれ凸形状を有する。それぞれの凸形状の頂点は円弧形状を有し、凸形状の端部の一方同士は引裂き停止位置において接続されているが、端部の他方同士は接続されていない。また切り込みは、仮想引裂き直線に沿った方向に引裂き停止位置から最も離れた最遠部分を有し、この最遠部分の接線の傾きは、仮想引裂き直線に垂直である。
切り込みは、仮想引裂き直線に関して対称、又は引裂き停止位置に関して点対称であってよい。
【００３２】
〈仮想引裂き直線〉
仮想引裂き直線とは、引裂き起点部分から包装袋を引裂いた際に引裂かれる部分を、仮想的な直線で表したものである。仮想引裂き直線は、包装袋上に明示的に存在していることを要しない。
【００３３】
〈凸形状〉
両方の凸形状の頂点は、円弧形状を有する。凸形状の頂点が角形状である場合、包装袋を引裂く際に、引裂く力が凸形状の角部にかかり、角部からさらに引裂きが開始しやすくなるが、円弧形状にすることによりそれを抑制することができる。
【００３４】
さらに、凸形状の円弧の頂点は、半径１．０ｍｍ以上の略半円を有する形状であることが好ましい。略半円の半径は、１．０ｍｍ以上、２．０ｍｍ以上、又は３．０ｍｍ以上であってよい。ここで、「略半円」とは、半円に近似した形状を含んでいる。したがって、例えば凸形状の円弧の頂点付近は、半円形状、楕円の半分の形状、又は放物線形状等であってよい。凸形状の円弧の頂点付近が半円形状でない場合、「半径」とは凸形状の内側にあり、かつ頂点に接する円のうち最大のものの半径である。
【００３５】
切り込みの両方の凸形状の端部の一方同士は、引裂き停止位置において接続されているが、端部の他方同士は接続されていない。端部の一方同士は、角部を有さない形状で滑らかに接続されていることが好ましい。
【００３６】
切り込みの両方の凸形状のうち少なくとも一方は、引裂き停止位置を基準として引裂き起点部分の反対側にあってよい。
【００３７】
本開示のある実施形態に基づく包装袋の切り込みは、両方の凸形状を、引裂き停止位置を基準として引裂き起点部分の反対側に有する。
【００３８】
図２は、本開示のある実施形態に基づく包装袋の切り込みの概略図である。図２において、切り込み１００は、引裂き起点部分と引裂き停止位置５０とを結ぶ仮想引裂き直線６０によって分けられる包装袋の２つの部分の一方側及び他方側に向けてそれぞれ凸形状１４０を有する。凸形状１４０の頂点は、円弧形状を有する。また、凸形状１４０のそれぞれの一方の端部同士は、引裂き停止位置５０において接続されている。
【００３９】
また、図２において、２つの凸形状１４０は、引裂き停止位置５０を基準として引裂き起点部分の反対側にあり、かつ引裂き停止位置５０から最も離れた最遠部分１１０の接線１１５の傾きが、仮想引裂き直線６０に垂直である。なお、図２には記載されていないが、引裂き起点部分は、各図の左側の仮想引裂き直線６０上に存在する。また、図２の形状を仮想引裂き直線６０に対して傾けた形状も、本開示の範囲に含まれる。
【００４０】
本開示の他の実施形態に基づく包装袋の切り込みの形状は、両方の凸形状を、引裂き停止位置を基準として引裂き起点部分側に有する。
【００４１】
図３は、本開示のある実施形態に基づく包装袋の切り込みの概略図である。図３において、切り込みは、引裂き起点部分と引裂き停止位置５０とを結ぶ仮想引裂き直線６０によって分けられる包装袋の２つの部分の一方側及び他方側に向けてそれぞれ凸形状１４０を有する。凸形状１４０の頂点は、円弧形状を有する。また、凸形状１４０のそれぞれの一方の端部同士は、引裂き停止位置５０において接続されている。
【００４２】
また、図３において、２つの凸形状１４０は、引裂き停止位置５０を基準として引裂き起点部分側にあり、かつ引裂き停止位置５０から最も離れた最遠部分１１０の接線１１５の傾きが、仮想引裂き直線６０に垂直である。なお、図３には記載されていないが、引裂き起点部分は、各図の左側の仮想引裂き直線６０上に存在する。また、図３の形状を仮想引裂き直線６０に対して傾けた形状も、本開示の範囲に含まれる。
【００４３】
本開示のさらに他の実施形態に基づく包装袋の切り込みの形状は、一方の凸形状を引裂き停止位置を基準として引裂き起点部分の反対側に有し、かつ他方の凸形状が引裂き停止位置を基準として引裂き起点部分側に有する。
【００４４】
図４（ａ）及び（ｂ）は、それぞれ本開示の他の実施形態に基づく包装袋の切り込みの概略図である。図４（ａ）では、切り込み１００は、仮想引裂き直線６０によって分けられる包装袋の２つの部分の一方側及び他方側にそれぞれに向けて凸形状１４０を有する。さらに、一方の凸形状１４０の引裂き起点部分に近い側の端部と、他方の凸形状１４０の引裂き起点部分に遠い側の端部は、引裂き停止位置５０において、互いに接続されている。図４（ｂ）では、切り込み１００は、図４（ａ）の場合と異なる端部同士が互いに接続された形状を有する。
【００４５】
凸形状のそれぞれの端部の一方同士が互いに接続されている部分の形状、即ち引裂き停止位置付近の切り込みの形状は、仮想引裂き直線に垂直な直線部分を有することが好ましい。これは、実際の引裂きが仮想引裂き直線からずれて進行し、引裂き停止位置から上方又は下方にずれたとしても、引裂きが切り込みに到達することができるためである。
【００４６】
なお、図４（ａ）及び（ｂ）には記載されていないが、引裂き起点部分は、各図の左側の仮想引裂き直線６０上に存在する。また、図４（ａ）及び（ｂ）の形状を仮想引裂き直線６０に対して傾けた形状も、本開示の範囲に含まれる。
【００４７】
〈最遠部分〉
切り込みは、引裂き停止位置から仮想引裂き直線に沿った方向に最も離れた最遠部分を有する。また最遠部分の接線の傾きは、仮想引裂き直線に垂直である。
【００４８】
本開示の実施形態に基づく包装袋において、引裂き起点部から仮想引裂き直線に沿って包装袋を引裂き、引裂き停止位置に引裂きが達した場合、引裂く力は切り込みの最遠部分にかかる。切り込みの凸形状が円弧形状を有し、かつ切り込みの最遠部分の接線が引裂き方向に対して垂直な形状を有することで、包装袋のさらなる引裂きをより効果的に抑制することができる。
【００４９】
〈終端部〉
最遠部分から引裂き停止位置と反対方向に延長した側にある切り込みの終端部は、仮想引裂き直線に沿った方向において最遠部分と引裂き停止位置との間に位置することが好ましい。
【００５０】
一般的に包装袋のさらなる引裂きは、切り込みの終端部から進行しやすい。切り込みの終端部を切り込みの凸形状の内側、すなわち切り込みの終端部を仮想引裂き直線に沿った方向において最遠部分と引裂き停止位置との間に位置するように延長させることで、包装袋を引裂く際にかかる力は、より切り込みの終端部にかかりにくくすることができ、一層引裂きを抑制する効果が得られる。
【００５１】
また、引裂き停止位置を基準として引裂き起点部の反対側にある凸形状の、引裂き停止位置と最も離れた最遠部分から延長した位置にある切り込みの終端部は、凸形状の円弧の内側に入り込んでいることが好ましい。切り込みがこのような形状を有することにより、包装袋を引裂く際に、引裂く力が切り込みの終端部にかかりにくくなる。これにより、包装袋の引裂き停止位置においてより引裂きを停止しやすくなる。
【００５２】
なお、最遠部分から凸形状の内側に向けて延長した切り込みの終端部は、引裂きをより停止しやすくする観点から円弧形状であることが好ましい。最遠部分から凸形状の内側に向けて延長した切り込みの終端部の円弧の大きさは、半径０．５ｍｍ以上、１．０ｍｍ以上、１．５ｍｍ以上であってよい。
【００５３】
図５は、本発明のまたさらに他の実施形態に基づく包装袋の切り込みの、一方の凸形状部分の概略図である。図５において、切り込み１００の一方の凸形状部分の引裂き停止位置５０付近は、仮想引裂き直線に垂直な直線部分１６０を有する。また、引裂き停止位置を基準として引裂き起点部の反対側にある凸形状１４０の、引裂き停止位置と最も離れた最遠部分から延長した位置にある切り込みの終端部１５０は、凸形状１４０の円弧の内側に入り込んでいる。なお、図５では、図中の仮想引裂き直線６０の下方に存在する他方の凸形状部分は省略されている。さらに、図５には記載されていないが、引裂き起点部分は、各図の左側の仮想引裂き直線６０上に存在する。
【００５４】
《包装袋》
包装袋は、引裂きにより開封される。包装袋は、内容物が内部に封入されていることができ、引裂きにより開封することにより、内容物を取り出すことができてよい。
【００５５】
包装袋は、例えば複数枚、特に２枚のフィルムを重ねあわせ、フィルム同士の縁部を接着した袋状の構造を有していてよい。
【００５６】
包装袋は、仮想引裂き直線の少なくとも一部に沿って、包装袋の他の部分よりも引裂き強度が低い脆弱線が設けられてよい。この様な脆弱線を設けることにより、引裂きを脆弱線に沿って引裂き停止位置まで誘導することができる。この様な脆弱線は、例えば点線又はミシン目等により提供することができる。
【００５７】
包装袋に用いられるフィルムとしては、例えば基材層、バリア層、中間層、及びシーラント層がこの順番で積層された積層フィルムを用いることができる。
【００５８】
基材層としては、例えばポリエチレン（ＰＥ）、ポリプロピレン（ＰＰ）等のポリオレフィン、ポリエチレンテレフタラート（ＰＥＴ）、ポリブチレンテレフタラート（ＰＢＴ）等のポリエステル、６−ナイロン、６，６−ナイロン等のポリアミド、ポリスチレン（ＰＳ）、塩化ビニル（ＰＶＣ）、及び合成紙等を挙げることができる。
【００５９】
基材層は、延伸された材料を用いて構成されてもよい。この延伸は、１軸延伸であっても２軸延伸であってもよい。
【００６０】
基材層の厚さは特に限定されないが、得られる包装袋に十分な強度と、良好なカット性と、を与えるためには、例えば、７μｍ以上とすることができ、１０μｍ以上とすることが好ましい。また上限値としては、５０μｍ以下とすることができ、３０μｍ以下とすることが好ましい。
【００６１】
バリア層は、外界からのガス（特に酸素）、水分、及び／又は光の侵入を抑制し、内容物を保護する機能を有する層である。
【００６２】
バリア層としては、例えば、アルミニウム、シリカ、ポリ塩化ビニリデン、及びポリビニルアルコール等を挙げることができる。
【００６３】
バリア層は、独立の膜又は箔として本発明に用いられる積層フィルムの製造に供されてもよいし、適当な基材フィルムの片面又は両面上に予め層状に形成された状態で供給される積層材料をそのまま用いてもよい。バリア層が基材フィルム上に形成された層であるとき、その基材フィルムは前述の基材層又は後述の中間層の役割を兼ねていてもよい。上記基材フィルムとしては、例えば、ポリエチレンテレフタレート、又はナイロン等から成るフィルムを挙げることができる。
【００６４】
バリア層の厚さは、該バリア層が独立の膜又は箔として供される場合には、例えば、１μｍ以上、３μｍ以上、又は５μｍ以上、例えば、１０μｍ以下、又は８μｍ以下とすることができ、該バリア層が基材フィルム上に形成された層として供される場合には、例えば、１ｎｍ以上、３ｎｍ以上、又は５ｎｍ以上、例えば、５００ｎｍ以下、３００ｎｍ以下、又は２００ｎｍ以下とすることができる。
【００６５】
中間層としては、例えば、ポリエチレンテレフタレート、ナイロン、及びポリプロピレン等を挙げることができる。中間層は、無延伸であってもよいし、１軸延伸又は２軸延伸されたものであってもよい。
【００６６】
中間層の厚さは、例えば、５μｍ以上又は１０μｍ以上とすることができ、例えば、４０μｍ以下又は２０μｍ以下とすることができる。
【００６７】
上述の通り、バリア層として基材フィルムの片面又は両面上に予め層状に形成された状態で供給される積層材料をそのまま用い、該基材フィルムが中間層としての役割を兼ねてもよい。このような場合に好適に使用できる積層材料としては、例えば、ポリ塩化ビニリデンコート／２軸延伸ナイロン、ポリ塩化ビニリデンコート／２軸延伸ポリエチレンテレフタレート、アルミニウム蒸着／ポリエチレンテレフタレート、アルミニウム蒸着／２軸延伸ナイロン、シリカ蒸着／２軸延伸ポリエチレンテレフタレート、シリカ蒸着／２軸延伸ナイロン、ポリビニルアルコール／２軸延伸ポリプロピレン、ポリカルボン酸系ポリマー／２軸延伸ナイロン，メタキシレンジアミン−ナイロン複合フィルム、及びエチレンビニルアルコール共重合体−ナイロン複合フィルム等を挙げることができる。
【００６８】
シーラント層としては、例えば熱可塑性樹脂、例えば、低密度ポリエチレン（ＬＤＰＥ）、中密度ポリエチレン（ＭＤＰＥ）、高密度ポリエチレン（ＨＤＰＥ）、線状低密度ポリエチレン（ＬＬＤＰＥ）、ポリプロピレン（ＰＰ）、エチレン−酢酸ビニル共重合体、アイオノマー樹脂、エチレン−（メタ）アクリル酸共重合体、エチレン−（メタ）アクリル酸アルキルエステル共重合体、エチレン−プロピレン共重合体（ＥＰＭ）、ポリメチルペンテン、及びポリブテン等の材料を挙げることができる。
【００６９】
シーラント層の厚さは、例えば２０μｍ以上又は３０μｍ以上とすることができ、例えば、８０μｍ以下又は７０μｍ以下とすることができる。
【実施例】
【００７０】
下記のようにして、実施例１〜３並びに比較例１及び２の引裂強度を検証した。
《包装袋の作製》
１．製袋
製袋充填機（オリヒロ製ＶＨ−１００）により、実施例１〜３並びに比較例１及び２の包装袋を製袋し、包装袋に内容物を充填した。
【００７１】
具体的には、次のようにして包装袋の製袋及び内容物の充填を行った。
【００７２】
基材層、バリア層、中間層、及びシーラント層の順番で積層されているフィルム２枚を、シーラント層が内側になるように重ねた。次に、重ねられたフィルムのトップ部分及びボトム部分をシールした。続いて一方のサイドシールをし、そして内容物を充填し、他方のサイドシールをした。最後に、ピナクル型を用いてシールされたフィルムの外形及び引裂き停止位置部分の切り込みを打抜いた。
【００７３】
具体的には、製袋に用いたフィルムは、下記の表１に示される構成を有していた。なお、表において、「ＰＥＴ」は、ポリエチレンテレフタラートを、「Ａｌ箔」はアルミニウム箔を、「ＮＹ」はナイロンを、「ＬＬＤＰＥ」は、直鎖状低密度ポリエチレンを、それぞれ示す。
【００７４】
【表１】
2018043765.tif 000003
【００７５】
２．袋の形状
実施例１〜３並びに比較例１及び２の包装袋は、切り込み部分の形状を除いて、図１に示される包装袋と同様の形状を有していた。すなわち、実施例１〜３並びに比較例１及び２の包装袋１０は、縁部２０に、引裂き起点部分４０を有し、かつ引裂きを停止させるべき位置としてとして定めた引裂き停止位置５０に、切り込み１００を有していた。
【００７６】
３．切り込みの形状
実施例１〜３並びに比較例１及び２の包装袋の切り込みは、それぞれ図６及び７に示されるとおりであった。なお、図６及び図７において、仮想引裂き直線６０は、仮想的な線に過ぎず、実際の包装袋に切り込み等として存在するものではない。さらに、図６及び図７には記載されていないが、引裂き起点部分は、各図の左側の仮想引裂き直線６０上に存在する。
【００７７】
図６（ａ）は、実施例１の包装袋の切り込みの形状を示す模式図である。図６（ａ）において、切り込みは、仮想引裂き直線６０に対して直行する方向に、互いに外向きに一対の凸状の半円形状を有している。そして、この半円形状の引裂き起点部分に近い側の端部は、それぞれ直線で結ばれている。
【００７８】
図６（ｂ）は、実施例２の包装袋の切り込みの形状を示す模式図である。図６（ｂ）において、切り込みの終端部は凸形状の内側に入り込んでいる点を除いて、実施例１の包装袋の切り込みと同じ形状である。
【００７９】
図６（ｃ）は、実施例３の包装袋の切り込みの形状を示す模式図である。図６（ｃ）において、切り込みの凸形状は、実施例２の包装袋の切り込み形状と比較して、凸形状の半円の半径が小さく、仮想引裂き直線に沿った方向に関して切り込み形状の全体の幅が小さくなっている。
【００８０】
図７（ａ）は、比較例１の包装袋の切り込みの形状を示す模式図である。図７（ａ）において、切り込みは、仮想引裂き直線６０を中心に、引裂き停止位置から引裂き起点部分に向かう方向に凸形状を有する。
【００８１】
図７（ｂ）は、比較例２の包装袋の切り込みの形状を示す模式図である。図７（ｂ）において、切り込みは、仮想引裂き直線６０に対する傾きが異なる点を除いて、比較例１の切り込みと同じ形状である。
【００８２】
なお、実施例１及び２の切り込みの凸形状の半円の半径は３．０ｍｍであり、実施例２の凸形状の内側に入り込んでいる部分の半円の半径は１．５ｍｍであった。また、実施例３の切り込みの凸形状の半円の半径は１．５ｍｍであり、凸形状の内側に入り込んでいる部分の半円の半径は、０．７５ｍｍであった。さらに、実施例１〜３の、凸形状同士が接続されている部分は、６．０ｍｍの直線であった。実施例1〜３の切り込みの凸形状、及び終端部付近の半円の半径、並びに直線部分の長さの値を、表２に示す。
【００８３】
【表２】
2018043765.tif 000004
【００８４】
《実験１：引張強度試験》
実施例１〜３並びに比較例１及び２の包装袋を、それぞれ５個用意した。各包装袋について、次のようにして引張強度（Ｎ）を測定した。
【００８５】
包装袋の引裂き開始部分から引裂き停止位置までカッターで直線状に切った。そして、開封片と包装袋本体をそれぞれチャックで挟み、引張試験機を用いて３００ｍｍ／ｍｉｎの速度で、開封片と包装袋本体が切り離されるまで引っ張った。そして、引張初めから引張が完了するまでの間の、引張強度（Ｎ）の最大値を測定した。
【００８６】
〈結果〉
実験結果を下記の表３に示す。なお、表３における数値は、各包装袋の引張強度（Ｎ）の平均値を示している。
【００８７】
【表３】
2018043765.tif 000005
【００８８】
表３を参照すると、実施例１〜３の包装袋は、比較例１及び２の包装袋と比較して、はるかに大きい引張強度を有することがわかる。
【００８９】
さらに、実施例２（平均引裂き強度２８．７２Ｎ）及び実施例３（平均引裂き強度１９．１６Ｎ）は、実施例１（平均引裂き強度１１．９０Ｎ）よりもはるかに大きい引張強度を有していた。特に、実施例２では、実施例１よりも約２．４倍以上の引張強度を有していた。
【００９０】
比較例１及び２の切り込みは、切り込みの終端部が引裂き方向に沿って設けられている。切り込みがこの様な形状を有する場合、包装袋を引裂く際にかかる引っ張る力は切り込みの終端部にかかる。切り込みの終端部は、包装袋の引裂きの起点となるため、引裂かれやすい。そのため、比較例１及び２の包装袋では、切り込みの終端部を起点としてさらに包装袋が容易に引裂かれたと考えられる。
【００９１】
他方、実施例１〜３の包装袋では、引裂き方向に対して垂直方向に凸の円弧状の切り込みを有し、かつ切り込みの最遠部分が、仮想引裂き直線に垂直である。切り込みがこの様な形状を有する場合、包装袋を引裂く際にかかる引っ張る力は切り込みの曲線部分にかかる。切り込みの曲線部分は、終端部とは異なり引裂きの起点とならないので、引裂かれにくかったと考えられる。
【００９２】
さらに、実施例２及び３の包装袋は、実施例１の包装袋よりもはるかに大きい引張強度を有していた。これは、実施例２及び３の包装袋の切り込みの終端部が、最遠部分から離れていることに起因すると考えられる。
【００９３】
包装袋を引っ張り続けた場合、包装袋の形状は、引張により徐々に変化すると考えられる。包装袋の切り込みの部分も包装袋の形状の変化に応じて変形する。そして、切り込みの終端部が最遠部分に近いと、包装袋の切り込みの部分の変形により、切り込みの終端部が引裂き方向を向いた最遠部分となり、切り込みの終端部を起点としてさらに包装袋が引裂かれやすくなると予想される。
【００９４】
実施例２及び３の包装袋の切り込みの終端部は、切り込みの最遠部分から離れている。そのため、引張によって包装袋の切り込みの部分が変形しても、切り込みの終端部が最遠部分にならなかったと考えられる。そのため、実施例２及び３の包装袋は、高い引張強度を有すると考えられる。
【００９５】
さらに、実施例３の包装袋よりも実施例２の包装袋のほうが高い引張強度を有するのは、実施例２の包装袋のほうが、凸形状が大きい、即ち、凸形状の円弧の半径が大きいためと考えられる。
【００９６】
《実験２：開封試験》
実施例１〜３並びに比較例１及び２の包装袋を、それぞれ５個用意した。各包装袋について、次のようにして開封試験を行った。
【００９７】
５人の試験者に、実施例１〜３並びに比較例１及び２の包装袋をそれぞれ１個ずつ開封させ、開封後に開封片が包装袋本体から分離せずに残留する確率を調べた。
【００９８】
〈結果〉
実験結果を下記の表４に示す。
【００９９】
【表４】
2018043765.tif 000006
【０１００】
表４を参照すると、実施例１〜３の包装袋では、高い確率で開封片が包装袋本体から分離せずに残留している。特に、実施例２及び３では、全ての試験者が開封した場合において、開封片が包装袋本体に残留した。これに対して、比較例１及び２の包装袋では、開封片が包装袋本体から分離せずに残留する確率は非常に低く、比較例１では２０％、比較例２では０％であった。
【０１０１】
このように、実施例１〜３の包装袋の切り込みにより、開封片が包装袋本体に残留しやすくなることがわかる。
【０１０２】
この結果は、上記表３に示される引張強度の差を反映しているものと思われる。
【０１０３】
以上のとおり本発明の包装袋は、包装袋を手で引裂いて開封する際に、引裂き停止位置でより確実に引裂きを停止させることができ、かつ開封時に開封片が生じにくく、余分なゴミを生じさせない。また本発明の包装袋は、包装袋に穴を設けず切り込みを設けるだけで高い引裂き停止力が実現可能である。したがって、本発明の包装袋は、開封時に開封片を生じさせないだけでなく、製造時においてもパンチで穴をあけてパンチ穴片を生じさせないため、余分なゴミの排出を防止できる点で優れている。
【符号の説明】
【０１０４】
１０    包装袋
２０    縁部
３０    収容部分
４０    引裂き起点部分
５０    引裂き停止位置
６０    仮想引裂き直線
１００    切り込み
１１０    最遠部分
１１５    最遠部分の接線
１４０    凸形状
１５０    終端部
１６０    直線部分
１７０    凸形状の円弧の半径
【図１】
2018043765.tif 000007
【図２】
2018043765.tif 000008
【図３】
2018043765.tif 000009
【図４】
2018043765.tif 000010
【図５】
2018043765.tif 000011
【図６】
2018043765.tif 000012
【図７】
2018043765.tif 000013